(57)【特許請求の範囲】
【請求項１】
基板と、該基板の一方の面から立設する少なくともひとつの平面部を有する基台とからなり、前記基台は、平板を２回屈曲させた階段状平板であることを特徴とする商品陳列台。
【請求項２】
前記平板を２回屈曲させた階段状平板は、前記基板の一方の面から垂直方向又は斜め方向に立設することを特徴とする請求項１記載の商品陳列台。
【請求項３】
請求項１又は２記載の商品陳列台を、設置台の傾斜面に、前記基台の平面部が略水平面を形成し、前記基板が商品の背当てとなるように設置することを特徴とする商品陳列台の使用方法。
【請求項４】
請求項１又は２記載の商品陳列台を、設置台の傾斜面に、前記基板の基台が立設する側の面とは反対側の面が商品の背あて面となるように設置することを特徴とする商品陳列台の使用方法。
【請求項５】
天面の形状が、商品を載置する窪み部を形成する形状であることを特徴とする請求項３記載の商品陳列台の使用方法。
【請求項６】
請求項１又は２記載の商品陳列台の複数個を設置台の傾斜面の前後方向に並べて設置することを特徴とする商品陳列台の使用方法。
【発明の詳細な説明】
【０００１】
【発明の属する技術分野】
本発明は、主にスーパー、百貨店、専門店、コンビニエンスストアー等の店内で商品を陳列するのに用いられ、一つ又は複数個を並べて多面的な商品の陳列が可能な商品陳列台に関するものである。
【０００２】
【従来の技術】
従来、スーパー、百貨店、専門店等の店内で商品を陳列する方法は、最も単純なものとして、(1) 水平の陳列台に仕切りを設け、その仕切りごとに商品を並べたり、箱等に商品を並べ、この箱等ごと水平の陳列台に載せたものがある。また、(2) 傾斜している陳列台に仕切りや雛壇を設け、その仕切りや雛壇ごとに商品を並べたり、箱等に商品を並べこの箱等ごと直接傾斜の陳列台に載せたものがある。また、(3) 水平あるいは傾斜を選択でき、しかも傾斜角も選択できる角度選択型陳列台に仕切りを設けて、その仕切りごとに商品を並べたり、箱等に商品を並べこの箱等ごと角度選択陳列台に載せたものもある。更に、(4) 上記の(2) 、(3) の傾斜している陳列台の代わりに、仕切り板や雛壇を予め設けてある商品陳列棚を台に載せ、この仕切り板や雛壇に直接商品を並べるものもある。
【０００３】
これらスーパー等の店内での商品陳列方法は、それにより商品の売れ行きが左右されることが多いから、上記した方法以外にも工夫を凝らし、様々な方法が取られる。しかし、その基本とする所は、水平の陳列台、傾斜している陳列台、角度選択型陳列台等の各種の陳列台に、仕切り板や箱等により商品を仕切り陳列するか、仕切り板や雛壇を設けてある商品陳列棚を設置台に載せ、それら仕切り板や雛壇により商品を仕切り陳列する方法である。
【０００４】
【発明が解決しようとする課題】
上記(1) 〜(3) の商品陳列方法は、ばらもの商品をボリューム感を持たせて陳列させるには充分ではない。また、目玉商品を一纏めとし、顧客の注意をひく陳列効果も期待できない。また、上記(4) の商品陳列棚は、予め雛壇を作製する必要があり、作製費や保管場所等の点で問題があった。更に、従来の商品陳列方法では頻繁な模様替えをするにしても、替わりばえのしない形態を採らざるを得なかった。
【０００５】
従って、本発明の目的は、商品の多様化、頻繁な模様替えに対応可能で、簡易な構造であり、且つひとつ又は複数個の使用で多面的な商品の陳列が可能な商品陳列台を提供することにある。
【０００６】
【課題を解決するための手段】
かかる状況において、本発明者らは、鋭意検討を行った結果、基板と、該基板の一方の面から立設する少なくともひとつの平面部を有する基台とからなる簡単な構造の商品陳列台であって、該商品陳列台は設置台の傾斜面に設置した際、基台の平面部が商品を載置する略水平面を形成し、基板が商品の背あてとなる第１の使用形態、あるいは該第１の使用形態における商品陳列台を平面内において１８０度反転させれば、基板の基台が立設する反対側の面が商品の背あて面となる第２の使用形態の双方を採ることができ、このため、ひとつ又は複数個を並べて使用すれば多面的で演出効果に優れた商品の陳列が可能であることなどを見出し、本発明を完成するに至った。
【０００７】
すなわち、本発明の商品陳列台は、基板と、該基板の一方の面から立設する少なくともひとつの平面部を有する基台とからなり、前記基台は、平板を２回屈曲させた階段状平板であることを特徴とする。
【０００８】
すなわち、本発明の商品陳列台の使用方法は、前記の商品陳列台を、設置台の傾斜面に、前記基台の平面部が略水平面を形成し、前記基板が商品の背当てとなるように設置することを特徴とする。
【０００９】
本発明の商品陳列台によれば、商品の多様化、頻繁な模様替えに対応可能で、簡易な構造であり、且つひとつ又は複数個の使用で多面的な商品の陳列が可能となる。
【００１０】
【発明の実施の形態】
以下、実施の形態を挙げて本発明を図１〜図１０に基づいて詳述する。
図１は本発明の第１の実施の形態である商品陳列台を示す斜視図、図２は図１の商品陳列台の第１の使用形態を示す側面図、図３は図１の商品陳列台の第２の使用形態を示す側面図、図４は図１の商品陳列台の利用形態を示す斜視図である。図面において、商品陳列台１ａは平板状の基板２と、基板２の一方の面のやや上方位置から垂直方向に立設する平板状の基台３からなり、基板２と基台３はほぼ同一形状、同一大きさである。
【００１１】
本実施の形態例における商品陳列台１ａは、設置台の傾斜面４に設置した際、平板状の基台３が商品１０を載置する水平面を形成し、基板２が商品１０の背あてとなる第１の使用形態（図２（Ａ））を採り得る。また、第１の使用形態にある商品陳列台１ａを傾斜面内において１８０度反転させれば、基板２の基台３が立設する反対側の面２ｂが商品１０の背あて面となる第２の使用形態（図３（Ａ））を採り得る。また、図２（Ｂ）に示すように、第１の使用形態における商品陳列台１ａの複数個を設置台の傾斜面４の前後方向に並べて設置すれば、雛壇状商品陳列台１Ａを形成でき、一方の商品陳列台の基板２と、隣接する他の商品陳列台の基板２及び基台３で形成される空間部１０１に商品を載置することができる。第１の使用形態を利用すれば、商品の整然としたきれいな陳列が可能となる。また、図３（Ｂ）に示すように、第２の使用形態における商品陳列台１ａの複数個を設置台の傾斜面４の前後方向に並べて設置した商品陳列台１Ａは、一方の商品陳列台の基板２の上方壁部１０２及び基台３と、隣接する他の商品陳列台の基板２で形成される空間部１０１に商品を載置することができる。第２の使用形態を利用すれば、ばらものを積み上げてボリューム感を与える陳列が可能となる。商品陳列台１ａ又は１Ａによれば、商品の多様化、頻繁な模様替えに対応可能で、簡易な構造であり、且つひとつ又は複数個の使用で多面的な商品の陳列が可能となる（図４）。また、本実施の形態例で、基板２の上方部を基台３が立設する反対側方向に屈曲させた形態とすれば、第２の使用形態において、上方部が商品の転落防止板の機能を奏する点で好適である（不図示）。
【００１２】
次に、第２の実施の形態における商品陳列台１ｂを図５〜図７を参照して説明する。図５は第２の実施の形態における商品陳列台の第１の使用形態を示す側面図、図６はその第２の使用形態を示す側面図、図７は本実施の形態例の商品陳列台の利用形態を示す斜視図である。図面において、商品陳列台１ｂは平板状の基板２と、基板２の一方の面のやや上方位置からやや斜め方向に立設する階段状平板の基台３からなる。階段状平板の基台３は広い面積を有する第１平面部３１と、それより狭い面積を有する第２平面部３２と、第１平面部３１と第２平面部３２を連接する傾斜部３３とからなる。
【００１３】
本実施の形態例における商品陳列台１ｂは、設置台の傾斜面４に設置した際、第１及び第２平面部３１、３２が水平面を形成し、平板状の基板２が商品１０の背あてとなる第１の使用形態（図５（Ａ））を採り得る。また、第１の使用形態にある商品陳列台１ｂを傾斜面内において１８０度反転させれば、基板２の基台３が立設する反対側の面２ｂが商品１０の背あて面となる第２の使用形態（図６（Ａ））を採り得る。また、図５（Ｂ）に示すように、第１の使用形態における商品陳列台１ｂの複数個を設置台の傾斜面４の前後方向に並べて設置すれば、雛壇状商品陳列台１Ｂを形成でき、一方の商品陳列台の基板２と、隣接する他の商品陳列台の基板２及び基台３で形成される空間部１０１に商品を載置することができる。第１の使用形態を利用すれば、基板２と第１平面部３１と傾斜部３３で形成される窪み部１０４に多くの商品を載置でき、陳列の演出効果を高めることができる。図６（Ｂ）に示すように、第２の使用形態における商品陳列台１ｂの複数個を設置台の傾斜面４の前後方向に並べて設置した商品陳列台１Ｂは、一方の商品陳列台の基板２の上方壁部１０２及び基台３と、隣接する他の商品陳列台の基板２で形成される空間部１０１に商品を載置することができる。商品陳列台１ｂ又は１Ｂによれば、商品の多様化、頻繁な模様替えに対応可能で、簡易な構造であり、且つひとつ又は複数個の使用で多面的な商品の陳列が可能となる（図７）。
【００１４】
次に、第３の実施の形態における商品陳列台１ｃを図８を参照して説明する。
図８（Ａ）は第３の実施の形態における商品陳列台の第１の使用形態を示す側面図、図８（Ｂ）は第２の使用状態を示す側面図である。図２（Ａ）及び図３（Ａ）で示す第１の実施の形態例と異なる点は、平板状の基台３が基板２の一方の面からやや斜め方向に立設させた点である。第３の実施の形態例においても、第１の実施の形態例と同様の効果を奏する。
【００１５】
次に、第４の実施の形態における商品陳列台１ｄを図９を参照して説明する。
図９（Ａ）は第４の実施の形態における商品陳列台の第１の使用形態を示す側面図、図９（Ｂ）は第２の使用状態を示す側面図である。図５（Ａ）及び図６（Ａ）で示す第２の実施の形態例と異なる点は、基板２の上方を外側にやや屈曲させ基板２を鉛直部２１と傾斜部２２とした点及び階段状基台３を鉛直部２１と傾斜部２２の交点から鉛直部２１に垂直に立設した点である。第４の実施の形態例においても、第２の実施の形態例と同様の効果を奏する。
【００１６】
次に、第５の実施の形態における商品陳列台１ｅを図１０を参照して説明する。図１０は第５の実施の形態における商品陳列台の利用状態を示す斜視図である。図５（Ａ）及び図６（Ａ）で示す第２の実施の形態例と異なる点は、階段状平板の基台３を基台３の天面形状を保ちつつ、傾斜面４と密着する構造とした点である。すなわち、図９中、基台３と傾斜面４とで形成される空間部１０３を無くしたことにある。第５の実施の形態例においても、第２の実施の形態例と同様の効果を奏する。
【００１７】
本発明における商品陳列台は、商品が載置されるあるいは接触する平面部又は傾斜部に滑り止め材を使用してもよい。滑り止め材は、平面部などの一部又は全部に滑り止め材を使用したり、別部材の滑り止め材を貼付したりするなどの方法で使用される。また、本発明における商品陳列台を傾斜面を有する設置台に取り付ける方法としては、特に制限されず、設置台の傾斜面の傾斜が緩やかであればそのままでもよいが、通常、溝や穴に嵌め込む方法、吸盤やマグネットを使用する方法、滑り止め材を使用する方法など公知の方法が使用できる。
【００１８】
以上、本発明の実施形態を説明したが、具体的な構成はこれに限定されず、本発明の要旨を逸脱しない範囲での変更、追加は本発明の範囲内である。
【００１９】
【発明の効果】
以上詳述したように、本発明によれば、第１の使用形態を利用すれば、雛壇形式の陳列台を演出できるから、特に、商品の整然としたきれいな陳列が可能となる。一方、第２の使用形態を利用すれば、特に、ばらもの商品を積み上げて、ボリューム感を与える陳列ができる。このように、商品の多様化、頻繁な模様替えに対応可能で、簡易な構造であり、且つひとつ又は複数個の使用で多面的な商品の陳列が可能となる。
【００２０】
本発明によれば、上記発明と同様の効果を奏する他、２枚の平板状構成部材で作製でき、材料費や製造コストが低減できる。また、本発明によれば、基台の立設を基板の垂直方向とすれば、特に、第２の使用形態の際、ばらもの商品を積み上げて、ボリューム感を与えることができる。また、基台の立設を基板の斜め方向とすれば、特に、第１の使用形態の際、陳列容積を増加させることができる。また、本発明によれば、上記発明と同様の効果を奏する他、多くの商品を載置でき、陳列の演出効果を高めることができる。また、本発明によれば、上記発明と同様の効果を奏する他、同一形状、同一大きさの商品陳列台の複数個の使用であるから、あらゆる設置面積を有する設置台に対応できる。
【図面の簡単な説明】
【図１】本発明の第１の実施の形態である商品陳列台を示す斜視図である。
【図２】第１の実施の形態である商品陳列台の第１の使用状態を示す側面図である。
【図３】第１の実施の形態である商品陳列台の第２の使用状態を示す側面図である。
【図４】第１の実施の形態である商品陳列台の利用形態を示す斜視図である。
【図５】本発明の第２の実施の形態である商品陳列台の第１の使用状態を示す側面図である。
【図６】第２の実施の形態である商品陳列台の第２の使用状態を示す側面図である。
【図７】第２の実施の形態である商品陳列台の利用形態を示す斜視図である。
【図８】第３の実施の形態である商品陳列台の利用形態を示す側面図である。
【図９】第４の実施の形態である商品陳列台の利用形態を示す側面図である。
【図１０】第５の実施の形態である商品陳列台の利用形態を示す斜視図である。
【符号の説明】
１ａ〜１ｄ、１Ａ〜１Ｄ  商品陳列台
２                      基板
３                      基台
４                      設置台の傾斜面
５                      設置台
１０                      陳列商品
２１                      鉛直部
２２、３３                傾斜部
３１                      第１平面部
３２                      第２平面部
【図１】
0004535351.tif 000002
【図２】
0004535351.tif 000003
【図３】
0004535351.tif 000004
【図４】
0004535351.tif 000005
【図５】
0004535351.tif 000006
【図６】
0004535351.tif 000007
【図７】
0004535351.tif 000008
【図８】
0004535351.tif 000009
【図９】
0004535351.tif 000010
【図１０】
0004535351.tif 000011